(57)【特許請求の範囲】
【請求項１】
ＩＤタグ保持部と該ＩＤタグ保持部の上部からＩＤタグ保持部の表面側及び裏面側に突出した突出片とを有するＩＤタグホルダーを取り付け可能とした合成樹脂製パレットであって、該合成樹脂製パレットのデッキボードには平行に延びた２本の桟が隣接して形成され、該２本の桟のそれぞれに、該ＩＤタグホルダーの該表面側及び裏面側に突出した突出片を挿入可能とした通孔を設けたことを特徴とする合成樹脂製パレット。
【請求項２】
該２本の桟のそれぞれに、該ＩＤタグホルダーの該突出片を挿入可能とした該通孔を対向するようにして設けた請求項１に記載の合成樹脂製パレット。
【請求項３】
該２本の桟が合成樹脂製パレットの表面側デッキボードに形成されており、該２本の桟は平面部と該平面部から下方に垂下した垂下部とを有し、該平面部と該垂下部との境目に該ＩＤタグホルダーの該突出片を挿入可能とした該通孔を設けた請求項１又は２記載の合成樹脂製パレット。
【請求項４】
該２本の桟が合成樹脂製パレットの表面側デッキボードの中間部筒状桁上に形成されている請求項１から３のいずれかに記載の合成樹脂製パレット。
【請求項５】
ＩＤタグ保持部と該ＩＤタグ保持部の角形枠部の上下に突出した突出片とを有するＩＤタグホルダーを更に取り付け可能とする凹部を合成樹脂製パレットの側面部に設け、該凹部の上下壁に、該ＩＤタグホルダーの該上下方向に突出した突出片を挿入可能とした通孔を設けた請求項１から４のいずれかに記載の合成樹脂製パレット。
【発明の詳細な説明】
【０００１】
【発明の属する技術分野】
本発明は、物流倉庫等に於ける在庫管理システムに使用されるＩＤタグを取り付ける為のＩＤタグを有するホルダー付きパレットに関する。
【０００２】
【従来の技術】
パレットにＩＤタグを取り付ける方法として、特開平５−８５５４５号公報には、木製パレットの中央部桁に穴を形成し、該穴にＩＤタグを挿入し、次いで該穴に樹脂を注入し、樹脂を硬化固定することが記載されている。
【０００３】
しかしながら、この方法では、木製パレットの中央部桁に穴を形成する、該穴にＩＤタグを挿入する、次いで該穴に樹脂を注入する、樹脂を硬化固定する等の操作を順次に行わなければならず、パレットにＩＤタグを取り付ける為の操作が煩雑であった。
【０００４】
【発明が解決しようとする課題】
本発明者等は、ＩＤタグを簡単に取り付けることができるパレットについて鋭意研究を進めた結果、本発明に到達した。
【０００５】
【課題を解決するための手段】
本発明は、ＩＤタグ保持部と該ＩＤタグ保持部の上部からＩＤタグ保持部の表面側及び裏面側に突出した突出片とを有するＩＤタグホルダーを取り付け可能とした合成樹脂製パレットであって、該合成樹脂製パレットのデッキボードには平行に延びた２本の桟が隣接して形成され、該２本の桟のそれぞれに、該ＩＤタグホルダーの該突出片を挿入可能とした通孔を設けたことを特徴とする合成樹脂製パレットに関する。
【０００６】
また本発明は、上記合成樹脂製パレットにおいて、該２本の桟のそれぞれに、該ＩＤタグホルダーの該突出片を挿入可能とした該通孔を対向するようにして設けた合成樹脂製パレットに関する。
【０００７】
また本発明は、上記合成樹脂製パレットにおいて、該２本の桟が合成樹脂製パレットの表面側デッキボードに形成されており、該２本の桟は平面部と該平面部から下方に垂下した垂下部とを有し、該平面部と該垂下部との境目に該ＩＤタグホルダーの該突出片を挿入可能とした該通孔を設けた合成樹脂製パレットに関する。
【０００８】
また本発明は、上記合成樹脂製パレットにおいて、該２本の桟が合成樹脂製パレットの表面側デッキボードの中間部筒状桁上に形成されている合成樹脂製パレットに関する。
【０００９】
また本発明は、上記合成樹脂製パレットにおいて、ＩＤタグ保持部と該ＩＤタグ保持部の角形枠部の上下に突出した突出片とを有するＩＤタグホルダーを更に取り付け可能とする凹部を合成樹脂製パレットの側面部に設け、該凹部の上下壁に、該ＩＤタグホルダーの該上下方向に突出した突出片を挿入可能とした通孔を設けた合成樹脂製パレットに関する。
【００１０】
本発明に使用されるＩＤタグホルダーは、ＩＤタグ保持部と、該ＩＤタグ保持部の上部からＩＤタグ保持部の表面側及び裏面側に突出した突出片とが形成された構造を有している。
【００１１】
上記ＩＤタグホルダーにおいて、表面側若しくは裏面側に突出した突出片は、反対側に突出した突出片よりも長くされている。また、ＩＤタグ保持部が角形板状部と、該角形板状部の周辺に形成された角形枠部とを有し、該角形枠部の表面側端部に沿って内側に突き出した突出部が形成され、角形板状部には該突出部に対応するように通孔が形成されている。
【００１２】
また、ＩＤタグ保持部の角形枠部の上下に突出片が形成された、他の形状のＩＤタグホルダーも使用することができる。この場合には、上記合成樹脂製パレットの側面部に設けた凹部の上下壁の通孔に、該ＩＤタグホルダーの該上下方向に突出した突出片を挿入することができる。
【００１３】
上記各ＩＤタグホルダーは、合成樹脂を射出成形することによって成形されている。
【００１４】
【発明の実施の形態】
以下、図面に従って本発明を説明する。
図１は本発明に係わるＩＤタグ用ホルダー付きパレットに於ける合成樹脂製パレットの一例を示す斜視図、図２は図１に示した合成樹脂製パレットにＩＤタグ用ホルダーを取り付けた状態の部分拡大一部破断斜視図、図３は本発明に係わるＩＤタグ用ホルダー付きパレットを分解した状態を示す部分拡大一部破断斜視図、図４は図２に於ける線Ａ−Ａに沿った断面図、図５は本発明に係わるＩＤタグ用ホルダー付き合成樹脂製パレットに於いて合成樹脂製パレットにＩＤタグ用ホルダーを取り付けている状態を示す部分拡大断面図及び図６は合成樹脂製パレットの側面部の凹部からＩＤタグ用ホルダーが取り外された状態を示す部分図である。
【００１５】
図１乃至図５に示すＩＤタグ用ホルダー付きパレットに於いて、合成樹脂製パレット１は、ポリエチレン、ポリプロピレン等の合成樹脂によって形成され、表面側デッキボード２、該表面側デッキボード２の下方隅部に形成された隅部筒状桁３及び表面側デッキボード１の下方中間部に形成された中間部筒状桁４を有し、隅部筒状桁３及び中間部筒状桁４の間にフォーク挿入孔５が形成されている。
【００１６】
表面側デッキボード２の中間部筒状桁４上に平行に延びた桟６及び桟７が形成されている。桟６は平面部８と該平面部８から下方に垂下した垂下部９とを有し、桟７は平面部１０と該平面部１０から下方に垂下した垂下部１１とを有している。桟６には、平面部８と垂下部９との境目に通孔１２と、通孔１３が形成されている。桟７には、平面部１０と垂下部１１との境目に通孔１２に対向する通孔１４と、通孔１３に対向する通孔１５が形成されている。
【００１７】
図１乃至図５に示すＩＤタグ用ホルダー付きパレットに於いて、ＩＤタグ用ホルダー１６は、ポリエチレン、ポリピロピレン等の合成樹脂によって形成され、ＩＤタグ保持部１７と、該ＩＤタグ保持部１７の左端上部から表面側に突出した突出片１８と、ＩＤタグ保持部１７の左端上部から裏面側に突出した突出片１９と、ＩＤタグ保持部１７の右端上部から表面側に突出した突出片２０と、ＩＤタグ保持部１７の右端上部から裏面側に突出した突出片２１とを有している。表面側に突出した突出片１８及び突出片２０は、裏面側に突出した突出片１９及び突出片２１よりも長くされている。
【００１８】
ＩＤタグ用ホルダー１６のＩＤタグ保持部１７は、角形板状部２２と、該角形板状部２２の周辺に形成された角形枠部２３とを有し、該角形枠部２３の表面側端部に沿って内側に突き出した突出部２４が形成され、角形板状部２２に該突出部２４に対応する通孔２５が形成されている。ＩＤタグ用ホルダー１６の角形板状部２２には、丸棒状凹部２６が形成され、該丸棒状凹部２６の表面側端部に沿って内側に突き出した突出部２７が形成され、丸棒状凹部２６の底部２８に該突出部２７に対応する通孔２９が形成されている。ＩＤタグ用ホルダー１６の角形板状部２２には、円柱状凹部３０が形成され、該円柱状凹部３０の表面側端部に沿って内側に突き出した突出部３１が形成され、円柱状凹部３０の底部３２に該突出部３１に対応する通孔３３が形成されている。ＩＤタグ用ホルダー１６は、突出部２４、突出部２７、突出部３１等に対応して通孔２５、通孔２９、通孔３３等が形成されていることにより、アンダーカット部が存在せず、射出成形によって成形することができる。
【００１９】
ＩＤタグ用ホルダー１６の上端には、突出片１８と突出片２０との間に表面側に突出している突片３４が形成され、突出片１９と突出片２１との間に裏面側に突出している突片３５が形成されている。
【００２０】
ＩＤタグ用ホルダー１６に角形ＩＤタグ３６を取り付けるには、角形板状部２２と突出部２４との間に角形ＩＤタグ３６を嵌め込めばよく、ＩＤタグ用ホルダー１６に丸棒状タグ３７を取り付けるには、丸棒状凹部２６の底部２８と突出部２７との間に丸棒状タグ３７を嵌め込めばよく、またＩＤタグ用ホルダー１６に円柱状タグ３８を取り付けるには、円柱状凹部３０の底部３２と突出部３１との間に円柱状タグ３８を嵌め込めばよい。かかるタグを取り付けた後、ホルダーカバー３６を通孔２５に嵌め込んでタグを保護する。
【００２１】
ＩＤタグ用ホルダー１６に角形ＩＤタグ３６、丸棒状ＩＤタグ３７若しくは円柱状ＩＤタグ３８を取り付けた後、ＩＤタグ用ホルダー１６を合成樹脂製パレット１に取り付けるには、図５に示すようにＩＤタグ用ホルダー１６のＩＤタグ保持部１７を桟６と桟７との間に差し入れ、突出片１８を通孔１４に差し込むとともに突出片２０を通孔１５に差し込んだ後に、桟６の通孔１２上を通って僅かに平面部８に達している突出片１９を上から押圧して変形させ、突出片１９を通孔１２に差し込むとともに桟６の通孔１３上を通って僅かに平面部８に達している突出片２１を上から押圧して変形させ、突出片２１を通孔１３に差し込めばよい。
【００２２】
図１乃至図５に示すＩＤタグ用ホルダー付きパレットは、ＩＤタグ用ホルダー１６を合成樹脂製パレット１に取り付けた際に、ＩＤタグ保持部１７の表面側に突出している突片３４が桟７の垂下部１１に接近するとともにＩＤタグ保持部１７の裏面側に突出している突片３５が桟６の垂下部９に接近することにより、がたつきが防止され、ＩＤタグ用ホルダー１６を極めて強固に合成樹脂製パレット１に取り付けることができる。
【００２３】
図１乃至図５に示すＩＤタグ用ホルダー付きパレットに於いては、突出片１８、突出片１９、突出片２０及び突出片２１の４個の突出片をＩＤタグ保持部１７の左右両端上部に形成したが、必要に応じて左右両端から僅かに内側に入った位置でＩＤタグ保持部１７の上部に表面側及び裏面側に突出した４個の突出片を形成してもよいし、或いはＩＤタグ保持部１７の中央上部に表面側に突出した突出片と裏面側に突出した突出片を１個づつ形成してもよい。
【００２４】
本発明では、好ましいＩＤタグ用ホルダー及びそれを取り付ける構造を有するパレットとして上記図１〜５に示すものを具体的に挙げたが、通常デッキボードの筒状桁の表面側の辺縁部に形成される幅広の桟と桟の間にＩＤタグ用ホルダーが設置され得る他の構造でもよい。しかし、ＩＤタグ用ホルダーのデッキボードの係止部がデッキボードの桟よりも上に出ないようにするのが好ましい。尚、ＩＤタグ用ホルダーは、２方差し型及び４方差し型のいずれの場合も中間部筒状桁の辺縁部に少なくとも１個、好ましくは各辺に一個設置されるようにする。ただ、２方差し型パレットの場合には、フォーク挿入孔の無い辺縁部ではその中間部に設置されるのが好ましい。
【００２５】
また、図６に示すように、パレットの側面部、筒状桁の側面部にＩＤタグ用ホルダーが設置できるようなパレット及びＩＤタグ用ホルダー４１であってもよい。即ち、デッキボードの側面部にＩＤタグ用ホルダーが設置するための凹部３９が形成され、かかる凹部の上下壁に通孔４０が設けられる。
【００２６】
一方、ＩＤタグ用ホルダー４１は、ＩＤタグ保持部４２の角形枠部４３の上下に突出片４４が形成され、該突出片を上記凹部の通孔４０に嵌着することによって設置される。ＩＤタグ用ホルダー４１のＩＤタグ保持部４２は、角形板状部４５と、該角形板状部４５の周辺に形成された角形枠部４３とを有し、該角形枠部４３の表面側端部に沿って内側に突き出した突出部４６が形成され、角形板状部４５に該突出部４６に対応する通孔４７が形成されている。ＩＤタグ用ホルダー４１の角形板状部４５には、丸棒状凹部４８が形成され、該丸棒状凹部４８の表面側端部に沿って内側に突き出した突出部４９が形成され、丸棒状凹部４８の底部に該突出部４９に対応する通孔５３が形成されている。ＩＤタグ用ホルダー４１の角形板状部４５には、円柱状凹部５０が形成され、該円柱状凹部５０の表面側端部に沿って内側に突き出した突出部５１が形成され、円柱状凹部５０の底部に該突出部５１に対応する通孔５２が形成されている。
【００２７】
ＩＤタグ用ホルダー４１は、突出部４６、突出部４９、突出部５１等に対応して通孔４７、通孔５３、通孔５２等が形成されていることにより、アンダーカット部が存在せず、射出成形によって成形することができる。
【００２８】
上記ＩＤタグ用ホルダー４１に角形ＩＤタグ、丸棒状ＩＤタグ若しくは円柱状ＩＤタグを取り付けるのは、図３に示すと同様に行うことができる。また、タグの保護の為に図３に示すと同様にホルダーカバーが取り付けられる。
【００２９】
本発明に係わるＩＤタグ用ホルダー付きパレットは、ＩＤタグ用ホルダーに取り付けた角形ＩＤタグ、丸棒状ＩＤタグ若しくは円柱状ＩＤタグをフォークリフト車に設けたアンテナで読みとることにより、物流倉庫等に於ける在庫管理システムに好適に使用することができる。
【００３０】
【発明の効果】
本発明に係わるＩＤタグを有するホルダー付きパレットは、ＩＤタグ用ホルダーに角形ＩＤタグ、丸棒状ＩＤタグ若しくは円柱状ＩＤタグを取り付けた後に、該ホルダーを合成樹脂製パレットのデッキボードの通孔若しくはパレットの側面の通孔に簡単に取り付けることができる。また、ＩＤタグの交換もＩＤタグ用ホルダーをパレットから比較的容易にできる。
【図面の簡単な説明】
【図１】本発明に係わるＩＤタグ用ホルダー付きパレットに於ける合成樹脂製パレットの一例を示す斜視図である。
【図２】図１に示した合成樹脂製パレットにＩＤタグ用ホルダーを取り付けた状態の部分拡大一部破断斜視図である。
【図３】本発明に係わるＩＤタグ用ホルダー付きパレットを分解した状態を示す部分拡大一部破断斜視図である。
【図４】図２に於ける線Ａ−Ａに沿った断面図である。
【図５】本発明に係わるＩＤタグ用ホルダー付き合成樹脂製パレットに於いて合成樹脂製パレットにＩＤタグ用ホルダーを取り付けている状態を示す部分拡大断面図である。
【図６】本発明に係わるＩＤタグ用ホルダー付き合成樹脂製パレットの側面部の凹部からＩＤタグ用ホルダーが取り外された状態を示す部分拡大一部破断斜視図である。
【符号の簡単な説明】
１  合成樹脂製パレット
２  表面側デッキボード
６、７  桟
８、１０  平面部
９、１１  垂下部
１２、１３、１４、１５  通孔
１６、４１  ＩＤタグ用ホルダー
１７、４２  ＩＤタグ保持部
１８、１９、２０、２１、４４  突出片
２２、４５  角形板状部
２３、４６  角形枠部
２４、２７、３１、４６、４９、５１  突出部
２５、２９、３３、４０、４７、５２、５３  通孔
２６、４８  丸棒状凹部
２８、３２  底部
３０、５０  円柱状凹部
３４、３５  突片
３６  ホルダーカバー
【図１】
0003841177.tif 000002
【図２】
0003841177.tif 000003
【図３】
0003841177.tif 000004
【図４】
0003841177.tif 000005
【図５】
0003841177.tif 000006
【図６】
0003841177.tif 000007